(57)【要約】【課題】  本発明は、人間の目には殆ど視認されない大きさのドットによって形成された薬剤コードを設けているにもかかわらず、外観が殆ど変化せず、薬剤師による処方作業を従来通りに行うことができると共に患者に対する心理的な影響を殆ど与えることのない薬剤包装体を提供する。【解決手段】  本発明の薬剤包装体は、薬剤を収納するための薬剤収納部を有する薬剤包装体本体の表面に、直径が１００μｍ以下のドットによって形成され且つ薬剤収納部に収納される薬剤の種類に対応した薬剤コードが設けられていることを特徴とする。【選択図】  図１
2016144540.tif 000002
【特許請求の範囲】
【請求項１】
薬剤を収納するための薬剤収納部を有する薬剤包装体本体の表面に、直径が１００μｍ以下のドットによって形成され且つ薬剤収納部に収納される薬剤の種類に対応した薬剤コードが設けられていることを特徴とする薬剤包装体。
【請求項２】
ドットの直径が５０μｍ以下であることを特徴とする請求項１に記載の薬剤包装体。
【請求項３】
薬剤包装体本体は、錠剤を収納するための薬剤収納部を有する収納シートと、上記収納シートの薬剤収納部の開口部を閉止する封止シートとを有するＰＴＰ包装体であり、上記収納シートの薬剤収納部に対応した封止シート部分のそれぞれに薬剤コードが設けられていることを特徴とする請求項１又は請求項２に記載の薬剤包装体。
【請求項４】
請求項１〜３の何れか１項に記載の薬剤包装体と、スキャナとを備えた薬剤処方管理システムであって、上記スキャナは、上記薬剤包装体の薬剤コードを読み取るためのコード読み取り部と、薬剤コードと薬剤の種類との対応関係を示した薬剤コード対応情報に基づいて、上記コード読み取り部で読み取られた薬剤コードに対応する薬剤の種類を特定し、特定された薬剤の種類を出力部に出力する薬剤特定手段とを含むことを特徴とする薬剤処方管理システム。
【請求項５】
スキャナに通信可能に接続されたコンピュータを更に有し、上記コンピュータは、上記コンピュータの記憶部に記憶された処方箋情報に含まれた薬剤の種類と、薬剤特定手段にて特定された薬剤の種類とを比較した結果を出力部に出力する薬剤判定手段を備えていることを特徴とする請求項４に記載の薬剤処方管理システム。
【発明の詳細な説明】
【技術分野】
【０００１】
現在、国内の病院や薬局で薬剤師が薬を処方する場合、医者が発行した処方箋に基づいて行われる。処方ミスを防止するために、複数人の薬剤師が、患者に処方しようとしている薬が、処方箋に記載された薬と相違ないかを確認している。
【０００２】
しかしながら、複数人の薬剤師が確認しても、人為的なミスを完全に防止することは難しく、処方ミスを防止するための対策が要望された。そこで、ＰＴＰ包装体の裏面にバーコードを印刷することが義務化され、バーコードを利用することによって処方ミスを防止することが期待された。
【先行技術文献】
【特許文献】
【０００３】
【特許文献１】特開２００６−３４１１２０号公報
【発明の概要】
【発明が解決しようとする課題】
【０００４】
特許文献１には、バーコードを利用した調剤過誤防止システムとして、以下の要素を有する調剤過誤防止システムが提案されている。
（１）薬品を識別する薬品識別情報を含む処方箋情報を入力する処方箋情報入力部
（２）処方薬品毎に未処理と処理済を識別する処理フラグを設けて、入力した処方箋情報を記憶する処方箋情報記憶部
（３）調剤する薬品に関連付けられているバーコードを読み取るバーコード入力部
（４）読み取ったバーコードにより特定される調剤薬品が、入力した処方箋情報に含まれる薬品識別情報により特定される処方薬品のうちのいずれかと一致するか否かを判定し、一致しない場合に処方外警告の出力を指示し、一致する場合に当該処方薬品に対応する処理フラグを未処理から処理済みに更新する調剤薬品確認部
（５）調剤の終了を入力する終了入力部
（６）調剤の終了を入力した後に、前記処方薬品のすべてについて、対応する処理フラグが未処理であるか判定し、いずれかの処方薬品の処理フラグが未処理である場合に、調剤漏れ警告の出力を指示する調剤漏れ検出部
（７）調剤薬品確認部より指示された処方外警告を出力し、調剤漏れ検出部より指示された調剤漏れ警告を出力する出力部。
【０００５】
又、一つのＰＴＰ包装体には、通常、１０個又は１２個の錠剤が収納されている。患者に処方する錠剤の数が、ＰＴＰ包装体に収納されている錠剤の数の２倍又は３倍といった倍数である場合には、ＰＴＰ包装体を複数枚、患者に処方すればよい。このような場合には、ＰＴＰ包装体に付されたバーコードを利用することができる。
【０００６】
しかしながら、患者に処方する錠剤の数が、ＰＴＰ包装体に収納されている錠剤の数の倍数でない場合、ＰＴＰ包装体を分割した上で患者に薬を処方している。ＰＴＰ包装体には通常、バーコードが一つしか印刷されていないことから、ＰＴＰ包装体が分割されると、ＰＴＰ包装体の分割体にはバーコードがないことが多く、処方ミスを防止するためのチェックに用いることができないという問題点を生じている。
【０００７】
そこで、ＰＴＰ包装体が分割された時に生じる上記問題点を解消するために、ＰＴＰ包装体の封止フィルムにおける薬剤収納部に対応する箇所のそれぞれにバーコードを印刷することが考えられる。
【０００８】
しかしながら、ＰＴＰ包装体の封止フィルムにおける薬剤収納部に対応する箇所のそれぞれにバーコードを印刷すると、ＰＴＰ包装体の外観が大きく変化する。ＰＴＰ包装体の外観の変化は、患者において、処方された薬が間違っているのではないかという不安感を生じさせると共に、薬剤師においても、薬の処方ミスを誘発する虞れがあるという別の問題を生じさせる。
【０００９】
本発明は、人間の目には殆ど視認されない大きさのドットによって形成された薬剤コードを用いることによって、薬剤コードを設けているにもかかわらず、外観が殆ど変化せず、薬剤師による処方作業を従来通りに行うことができると共に患者に対する心理的な影響を殆ど与えることのない薬剤包装体及びこれを用いた薬剤処方管理システムを提供する。
【課題を解決するための手段】
【００１０】
本発明の薬剤包装体は、薬剤を収納するための薬剤収納部を有する薬剤包装体本体の表面に、直径が１００μｍ以下のドットによって形成され且つ薬剤収納部に収納される薬剤の種類に対応した薬剤コードが設けられていることを特徴とする。
【００１１】
上記薬剤包装体において、ドットの直径が５０μｍ以下であることを特徴とする。
【００１２】
上記薬剤包装体において、薬剤包装体本体は、錠剤を収納するための薬剤収納部を有する収納シートと、上記収納シートの薬剤収納部の開口部を閉止する封止シートとを有するＰＴＰ包装体であり、上記収納シートの薬剤収納部に対応した封止シート部分のそれぞれに薬剤コードが設けられていることを特徴とする。
【００１３】
本発明の薬剤処方管理システムは、上記薬剤包装体と、スキャナとを備えた薬剤処方管理システムであって、上記スキャナは、上記薬剤包装体の薬剤コードを読み取るためのコード読み取り部と、薬剤コードと薬剤の種類との対応関係を示した薬剤コード対応情報に基づいて、上記コード読み取り部で読み取られた薬剤コードに対応する薬剤の種類を特定し、特定された薬剤の種類を出力部に出力する薬剤特定手段とを含むことを特徴とする。
【００１４】
上記薬剤処方管理システムにおいて、スキャナに通信可能に接続されたコンピュータを更に有し、上記コンピュータは、上記コンピュータの記憶部に記憶された処方箋情報に含まれた薬剤の種類と、薬剤特定手段にて特定された薬剤の種類とを比較した結果を出力部に出力する薬剤判定手段を備えていることを特徴とする。
【発明の効果】
【００１５】
本発明の薬剤包装体は、上述の通り、薬剤包装体本体の表面に設けられた薬剤コードが、直径が１００μｍ以下のドットによって形成されていることから、人間の目には殆ど視認できないか、視認できたとしても、僅かに着色されたベタ塗り状に見えるため、薬剤包装体の外観は殆ど変化しない。従って、薬剤師が薬剤を処方する際に、薬剤包装体の外観の変化に起因した薬剤の取り違いを防止し、薬剤を間違いなく患者に処方することができる。又、薬剤包装体の外観の変化によって、患者に心理的な悪影響を与えることを防止することができる。
【００１６】
本発明の薬剤処方管理システムは、上述の通り、薬剤包装体の表面に薬剤コードが設けられており、薬剤コードをスキャナで読み取ることによって、薬剤包装体に収納されている薬剤の種類を特定することができるので、薬剤包装体内に収納されている薬剤の種類を取り違えることはなく、患者に正しい薬剤を正確に処方することができると共に、処方する薬剤のチェックをする薬剤師の人数も減らすことでき、人手不足の問題の解消及び人件費の削減を図ることができる。
【図面の簡単な説明】
【００１７】
【図１】薬剤包装体を示した断面図である。
【図２】薬剤コードの一例である。
【図３】薬剤コードの一例である。
【図４】チューブ状の薬剤包装体本体を示した斜視図である。
【図５】スキャナのハードウエア構成を示した図である。
【図６】薬剤コード対応テーブルを示した図である。
【図７】薬剤特定手段の動作を示したフローチャートである。
【図８】コンピュータのハードウエア構成を示した図である。
【図９】処方箋情報テーブルを示した図である。
【図１０】薬剤包装体の包装袋を示した平面図である。
【図１１】患者情報テーブルを示した図である。
【図１２】薬剤判定手段の動作を示したフローチャートである。
【発明を実施するための形態】
【００１８】
本発明の薬剤包装体の一例を図面を参照しつつ説明する。薬剤包装体ＡがＰＴＰ包装体である場合を例に挙げて説明する。
【００１９】
薬剤包装体本体A1は、図１に示したように、錠剤Ｐを収納するための複数個の薬剤収納部11を有する収納シート１と、収納シート１の薬剤収納部11の開口部を閉止する封止シート２とを有している。
【００２０】
収納シート１は、通常、平面長方形状に形成されており、公知の合成樹脂シートを汎用の熱成形方法を用いて部分的に膨出させることによって複数個の薬剤収納部11が形成されている。なお、合成樹脂シートを構成している合成樹脂としては、例えば、ポリエチレンテレフタレートシートなどのポリエステル系樹脂、ポリ塩化ビニルなどのポリ塩化ビニル系樹脂、ポリスチレン系樹脂などが挙げられる。熱成形方法としては、例えば、真空成形方法、圧空成形方法などが挙げられる。
【００２１】
そして、図１に示したように、収納シート１における薬剤収納部11の開口部が形成されている面1aには、薬剤収納部11を閉止するために封止シート２が積層一体化されている。なお、封止シート２としては、従来からＰＴＰ包装体の形成に用いられているシートであれば、特に限定されず、例えば、アルミニウム箔などの金属箔が好ましい。
【００２２】
封止シート２の外側の表面2aには薬剤コード３が印刷によって一体的に設けられて薬剤包装体Ａが構成されている。薬剤コード３は、薬剤の種類ごとに予め決められており、薬剤包装体Ａの薬剤収納部11に収納されている薬剤に対応した薬剤コード３が薬剤包装体本体A1の表面に印刷などによって一体的に設けられている。薬剤コード３は、収納シート１の薬剤収納部11の開口部に対応する封止シート部分21のそれぞれに少なくとも設けられていることが好ましい。薬剤コード３は、封止シート２の外側の表面2aの全面に（好ましくは縦横に繰り返し）設けられていてもよい。薬剤コード３は、収納シート１の薬剤収納部11の開口部に対応する封止シート部分21のそれぞれに少なくとも設けられていることによって、薬剤包装体が分割して処方された場合にあっても、分割された薬剤包装体に薬剤コード３を確実に設けておくことができる。
【００２３】
薬剤コード３は、封止シート２に直接、一体的に設けられてもよいし、封止シート２の表面に形成された印刷層（図示せず）上に一体的に設けられてもよい。薬剤コード３は、グラビア印刷などの汎用の印刷方法によって封止シート２の表面に印刷されればよい。薬剤コード３上に更に印刷層22が形成されてもよい。
【００２４】
後述するスキャナ５による薬剤コード３の読み取りを可能にするために、スキャナのコード読み取りユニット55から放射される光（例えば、赤外線など）を吸収可能な色材を含むインキで薬剤コード３を形成する一方、薬剤コード３以外の印刷層は、スキャナのコード読み取りユニット55から放射される光を実質的に吸収しない色材を含むインキで形成する必要がある。スキャナのコード読み取りユニット55から放射される光が赤外線である場合、赤外線を吸収する色材としては、例えば、カーボンブラックなどが挙げられる。スキャナのコード読み取りユニット55から放射する光が赤外線の場合、スキャナが放射する光を実質的に吸収しないインキに用いることができる色材としては、例えば、ペリレンブラック、アゾレッド、フタロシアニンブルー、フタロシアニングリーン、ジスアゾイエロー、ジスアゾオレンジ、ジオキサジンバイオレット、酸化チタンなどが挙げられる。
【００２５】
薬剤コード３はドットによって構成されている。薬剤コード３を構成しているドットの直径は、１００μｍ以下であり、５０μｍ以下が好ましく、１０〜５０μｍがより好ましい。薬剤コード３を構成しているドットの直径を１００μｍ以下とすることによって、ドットが人間の目に殆ど視認されなくなり、薬剤包装体Ａの外観を変化させることなく、薬剤包装体本体A1の表面に薬剤コード３を一体的に設けることができると共に、薬剤コード３の大きさを小さくすることができ、薬剤包装体の限られたスペース内においても薬剤コード３を容易に設けることができる。なお、ドットの直径とは、ドットを包囲し得る最小径の真円の直径をいう。
【００２６】
薬剤コード３を構成しているドット31の形状は、特に限定されず、三角形、四角形、五角形、六角形などの多角形状、円形、楕円形の他、不定形であってもよいが、円形、三角形、四角形が好ましい。なお、ドット31の形状は、その一部に欠けた部分があってもよい。
【００２７】
薬剤コード３を構成しているドット31の配列は、特に限定されないが、ドット同士が近接し過ぎたり、又は、単位面積辺りのドットの形成密度が高くなると、ドットの集合体が人間の目に視認可能になることがある。従って、ドット31、31同士の間隔は、４０μｍ以上が好ましく、５０μｍ以上がより好ましいが、広くなり過ぎると、薬剤コード３の読み取りエラーが生じやすくなるので、１６０μｍ以下が好ましく、１５０μｍ以下がより好ましい。ドット31、31同士の間隔とは、ドットを包囲し得る最小径の真円の中心間の距離をいう。ドット31の形成密度は、１２個／ｍｍ2以下が好ましく、１０個／ｍｍ2以下がより好ましいが、低すぎると、薬剤コード３の読み取りエラーが生じやすくなるので、２個／ｍｍ2以上が好ましく、５個／ｍｍ2以上がより好ましい。
【００２８】
薬剤コード３のドット31の配列形態としては、例えば、図２及び図３に示したように、格子状に描かれた仮想線41と、これらの仮想線41のうち、縦横方向に一つ置きに描かれた仮想線41によって形成された正方形の対角線42とを含む基準線４上において、上記正方形を構成している仮想線41同士の交点上にドット31aを配置すると共に、互いに隣接する４個のドットによって形成された正方形の内部を放射状に八当分した箇所43の任意の部分にドット31bを配設してなる配列形態が挙げられる。正方形を形成している互いに隣接する４個のドット31aと、このドット31aによって形成されている正方形内に配設されたドット31bとによって薬剤コード３が形成されている。放射状に八当分した箇所43へのドットの配設状態（配設位置及び配設数）を薬剤の種類ごとに変更することによって、薬剤コードを薬剤の種類ごとに形成することができる。なお、図２の基準線４における仮想線41同士の交点のうち、右下及び左下の交点にはドットが配設されず、右下及び左下の交点から外れた仮想線41上にドットが配列されているが、これは、薬剤コード３の上下方向を判断するためである。
【００２９】
一つの薬剤コード３の大きさは、２．８〜５ｍｍが好ましい。薬剤コード３の大きさを上記範囲とすることによって、後述するようにスキャナを用いて容易に読み取ることができると共に、薬剤包装体の外観も殆ど変化させることがないので、患者に不安感を与えることなく、薬剤師が処方ミスをすることも防止することができる。一つの薬剤コード３の大きさとは、薬剤コードを包囲し得る最小径の真円の直径をいう。
【００３０】
上記では、薬剤包装体としてＰＴＰ包装体を例に挙げて説明したが、薬剤包装体は、ＰＴＰ包装体以外の包装体であってよい。薬剤包装体本体は、例えば、図４に示したような内部に薬剤収納部を有するチューブ状の薬剤包装体本体、矩形状の二枚の合成樹脂フィルムを格子状に熱融着一体化し、合成樹脂フィルムの対向面間に薬剤収納部が形成されてなる袋状の薬剤包装体本体、二枚の金属箔の外周縁部同士をヒートシールすることによって金属箔の対向面に薬剤収納部が形成されてなるＳＰ（strip package）包装形態の薬剤包装体本体などの形態であってよい。
【００３１】
薬剤包装体が、チューブ状、袋状又はＳＰ包装の形態である場合には、薬剤収納部に薬剤を収納することによって、薬剤包装体の表面に凹凸が生じる。従って、薬剤コードをバーコードから形成した場合には、スキャナによる読み取りが難しくなる場合があったが、本発明の薬剤包装体に用いられている薬剤コードは、直径が１００μｍ以下のドットによって形成されており、極めて微小な大きさであることから、薬剤包装体の表面に生じた凹凸の影響を受けにくく、スキャナによって容易に且つ正確に読み取ることができる。
【００３２】
次に、上記薬剤包装体Ａを用いた薬剤処方システムＢについて説明する。薬剤処方システムＢは、薬剤包装体Ａとスキャナ５とを備えている。
【００３３】
スキャナ５は、図５に示した通り、ＣＰＵ(Central Processing Unit)51と、ＲＯＭ(Read Only Memory)52と、ＲＡＭ(Random Access Memory)53と、記憶部に相当するＳＳＤ（Solid State Drive）やＨＤＤ（Hard Disk Drive）などの補助記憶装置54と、コード読み取り部に相当するコード読み取りユニット55と、出力部に相当するディスプレイ、スピーカなどの出力ユニット56と、通信部に相当する通信ユニット57と、時計58と、入力部に相当するタッチパネル、キーボードなどの入力ユニット59を有している。ＣＰＵ(Central Processing Unit)51と、補助記憶装置54、コード読み取りユニット55、出力ユニット56、通信ユニット57、時計58及び入力ユニット59とは、公知の有線又は無線手段にて通信可能に接続されている。
【００３４】
コード読み取りユニット55は従来公知のユニットを用いることができる。コード読み取りユニット55は、赤外線などの光を薬剤包装体に放射し、薬剤包装体で反射された光を認識することができ、薬剤包装体に放射された光の一部は、薬剤コードで吸収されているため、薬剤包装体に放射した光と、薬剤包装体で反射された光との差を解析することによって、薬剤コード３を構成しているドット31の配列形態（薬剤コードの種類）を特定することできる。
【００３５】
スキャナ５は、記憶部に記憶され且つ薬剤コードと薬剤の種類との対応関係を示した薬剤コード対応情報に基づいて、上記コード読み取り部で読み取られた薬剤コードに対応する薬剤の種類を特定し、特定された薬剤の種類を出力部に出力する薬剤特定手段を備えている。
【００３６】
ＲＯＭ52及び補助記憶装置54内には、ＣＰＵ51にて実行される各種プログラム（薬剤特定プログラム、識別番号特定プログラムなど）や各種データが格納されている。ＲＡＭ53には、各種のプログラムに基づいて設定される設定値を一時的に記憶するためのメモリなどが格納されている。
【００３７】
具体的には、ＲＯＭ52及び補助記憶装置54内には、各種手段としての各種プログラムが格納されている。各種手段は、ＣＰＵ51やＲＡＭ53上に各種プログラムを読み込ませることにより、ＣＰＵ51の制御のもとで、ＲＡＭ53や補助記憶装置54におけるデータの読み出し及び書き込みを行うことで実現される。
【００３８】
一方、薬剤包装体Ａには、その薬剤収納部11内に収納されている薬剤の種類に対応した薬剤コード３が一体的に設けられている。
【００３９】
補助記憶装置54には、薬剤包装体Ａで使用される薬剤コード３と薬剤の種類との対応関係を示した薬剤コード対応情報が薬剤コード対応テーブルに記憶されている。薬剤コード対応情報は、図６に示したように、薬剤コード３のドット配設ごとに予め付与された識別番号〔例えば、（１）（２）・・・〕と薬剤の種類とが一対一の対応関係で構成されており、一の薬剤コード３に対して一の薬剤の種類が定まるように構成されている。
【００４０】
先ず、図７に示したように、薬剤師の操作によって、スキャナ５の入力ユニット59からの入力によって薬剤特定プログラムが起動される。スキャナ５のコード読み取りユニット55で薬剤包装体Ａの薬剤コード３が読み取られて、薬剤特定プログラムにしたがってＣＰＵ51によって、薬剤包装体Ａに設けられた薬剤コード３が特定される。コード読み取りユニット55で読み取られて特定された薬剤コード３は、ＣＰＵ51によって、薬剤コード３を構成しているドット配設ごとに予め与えられた識別番号（例えば、（１）（２）・・・、又は、数値）に変換される（ステップ１（Ｓ１））。
【００４１】
次に、薬剤特定プログラムにしたがって、ＣＰＵ51によって、薬剤コード３の識別番号に基づいて、補助記憶装置54に記憶されている薬剤コード対応テーブル中の薬剤コード対応情報が検索され、薬剤コード３の識別番号と同じ識別番号を有する薬剤コード対応情報が抽出され、この薬剤コード対応情報から薬剤の種類が特定される（ステップ２（Ｓ２））。
【００４２】
例えば、スキャナ５のコード読み取りユニット55で読み取られた薬剤コードから変換された識別番号が（１）である場合には、薬剤特定プログラムにしたがって、ＣＰＵ51によって、薬剤コード３から変換された識別番号（１）に基づいて、薬剤コード対応テーブルに記憶されている薬剤コード対応情報が検索され、識別番号（１）を有する薬剤コード対応情報が抽出され、この薬剤コード対応情報に基づいて「薬剤ＡＢＣ」が特定される。
【００４３】
そして、薬剤特定手段によって、特定された薬剤の種類が出力ユニット56に出力される（ステップ３（Ｓ３））。例えば、出力ユニット56がディスプレイである場合には、ディスプレイ上に薬剤の種類が表示される。出力ユニット56がスピーカである場合には、スピーカから薬剤の種類が発せられる。これによって、薬剤師は、薬剤包装体内に収納されている薬剤の種類を確認することができ、処方箋に記載された薬剤の種類と照合することによって、患者に正しい薬剤を処方することができる。
【００４４】
薬剤包装体Ａの薬剤コード３は、直径が１００μｍ以下のドットによって形成されていることから、その大きさは極めて小さいものであり、薬剤包装体Ａの薬剤収納部11のそれぞれに対応した箇所に薬剤コード３を設けることができる。従って、薬剤包装体Ａが分割して患者に処方される場合にあっても、分割された薬剤包装体のそれぞれには薬剤コード３が確実に設けられており、患者に正しい薬剤を処方することができる。
【００４５】
スキャナ５は、通信ユニット57を介して公知の通信回線（例えば、Ｗｉ−Ｆｉ、優先ＬＡＮ、無線ＬＡＮ、インターネット、ケーブルなど）を通じて、サーバーなどのコンピュータ６と通信可能に接続されていてもよい。コンピュータ６には、記憶部に相当するＳＳＤ（Solid State Drive）やＨＤＤ（Hard Disk Drive）などの補助記憶装置61が内蔵されるか又はＬＡＮ若しくはケーブルなどを介して通信可能に接続されている。
【００４６】
コンピュータ６は、図８に示した通り、ＣＰＵ(Central Processing Unit)61と、ＲＯＭ(Read Only Memory)62と、ＲＡＭ(Random Access Memory)63と、記憶部に相当するＳＳＤ（Solid State Drive）やＨＤＤ（Hard Disk Drive）などの補助記憶装置64と、出力部に相当するディスプレイ、スピーカなどの出力ユニット65と、通信部に相当する通信ユニット66とを有している。ＣＰＵ(Central Processing Unit)61と、補助記憶装置64、出力ユニット65及び通信ユニット66とは、公知の有線又は無線手段によって通信可能に接続されている。
【００４７】
コンピュータ６のＲＯＭ62及び補助記憶装置64内には、ＣＰＵ61にて実行される各種プログラム（薬剤判定プログラムなど）や各種データが格納されている。ＲＡＭ63には、各種のプログラムに基づいて設定される設定値を一次的に記憶するためのメモリなどが格納されている。
【００４８】
コンピュータ６は、コンピュータ６の補助記憶装置64に記憶された処方箋情報に含まれた薬剤の種類情報と、薬剤特定手段にて特定された薬剤の種類とを比較した結果を出力部に出力する薬剤判定手段を備えている。
【００４９】
具体的には、ＲＯＭ62内には、薬剤判定手段としての薬剤判定プログラムが格納されている。薬剤判定手段は、ＣＰＵ61やＲＡＭ63上に薬剤判定プログラムを読み込ませることにより、ＣＰＵ61の制御のもとで、ＲＡＭ63や補助記憶装置64におけるデータの読み出し及び書き込みを行うことで実現される。
【００５０】
コンピュータ６の補助記憶装置64には処方箋情報が記憶されている。図９に示したように、処方箋情報には、処方箋が発行された日付、患者名及び処方される薬剤の種類が含まれており、これらの情報が一組のデータとなっている。この処方箋情報は、図９に示したように、コンピュータ６の補助記憶装置64に記憶されている処方箋情報テーブルに記憶されている。
【００５１】
又、患者ごとに識別番号が予め付与されており、図１０に示したように、薬剤師が患者に処方する薬剤包袋体を収納する包装袋７の表面には、患者の識別番号に対応した識別コード71が一体的に設けられている。このような識別コード71としては、公知の識別コードが用いられ、例えば、バーコードなどが挙げられる。
【００５２】
そして、患者の氏名と識別番号とが一対となって患者情報が構成されている。コンピュータ６の補助記憶装置64には、患者情報テーブルが記憶されており、この患者情報テーブルに患者情報が記憶されている（図１１参照）。
【００５３】
図１２を参照しながら薬剤判定手段の動作を説明する。薬剤包装体内に収納されている薬剤の種類は、上述の通り、薬剤特定プログラムにしたがって特定される。スキャナ５が通信回線を通じてコンピュータ６と通信可能に接続されている場合には、薬剤の種類が特定されるごとに、薬剤特定プログラムにしたがって、ＣＰＵ51によって、薬剤の種類が通信回線を通じてコンピュータ６に送信され、薬剤の種類を受信したコンピュータ６の補助記憶装置64に記憶された処方作業テーブル内に薬剤の種類が書き込まれる（ステップ５（Ｓ５））。なお、薬剤特定プログラムによるコンピュータ６への薬剤の種類の送信は、スキャナ５の入力ユニット59から、スキャナ５による薬剤コード３の読み取りの開始を意味する「開始命令」が入力された（ステップ４（Ｓ４））後に薬剤特定プログラムにしたがって特定された薬剤の種類のみが対象となる。スキャナ５が通信回線を通じてコンピュータ６と通信可能に接続していない場合には、スキャナ５の入力部からの「開始命令」の入力の有無にかかわらず、上述の通り、薬剤特定プログラムにしたがって薬剤の種類が特定され、出力ユニット56に出力される。
【００５４】
薬剤特定プログラムにしたがって、ＣＰＵ51によって、スキャナ５の入力ユニット59から、スキャナ５による薬剤コード３の読み取りの終了を意味する「終了命令」が入力されているか否かが判断され（ステップ６（Ｓ６））、「終了命令」が入力されていない場合には、薬剤特定プログラムにしたがって薬剤の種類が特定されると、特定された薬剤の種類は、通信回線を通じてコンピュータ６に順次、送信され、コンピュータ６の補助記憶装置64内の処方作業テーブル内に順次、書き込まれる。なお、同一の薬剤の種類が既に処方作業テーブルに書き込まれている場合には、薬剤の種類は、重複を避けるために処方作業テーブルには書き込まれない。
【００５５】
即ち、患者に処方される薬剤が複数種類ある場合、薬剤師によって、スキャナ５による薬剤包装体の薬剤コード３の読み取りが繰り返し行われ、読み取られた薬剤コード３に基づいて薬剤特定プログラムにしたがって薬剤の種類が特定される。特定された「薬剤の種類」のそれぞれは、薬剤特定プログラムにしたがって、通信回線を通じてコンピュータ６に順次、送信され、コンピュータ６の補助記憶装置64内の処方作業テーブルに順次、書き込まれる。
【００５６】
一方、スキャナ５の入力ユニット59から「終了命令」が入力された場合は、薬剤特定プログラムにしたがって、処方作業テーブル内への薬剤の種類の書き込みが禁止される（ステップ７（Ｓ７））。その後、薬剤特定プログラムは停止する。
【００５７】
スキャナ５は、コード読み取りユニット55で読み取られた識別コード71に基づいて患者の識別番号を特定する識別番号特定手段を有しており、スキャナ５の入力ユニット59から「終了命令」が入力されると、識別番号特定プログラムが起動する。
【００５８】
識別番号特定プログラムにしたがって、ＣＰＵ51によって、スキャナ５の出力モジュール56に、薬剤包装体を収納する包装袋７に一体的に設けられた識別コード71を読み取ることを要求する旨の読み取り命令が出力される（ステップ８（Ｓ８））。
【００５９】
この読み取り命令の出力を薬剤師が確認し、薬剤師の操作によって、スキャナ５のコード読み取りユニット55で包装袋７の識別コード71が読み取られる。コード読み取りユニット55で読み取られて特定された患者の識別コード71は、識別番号特定プログラムにしたがって、予め与えられた識別記号に変換され、識別記号がコンピュータ６に送信される（ステップ９（Ｓ９））。その後、識別番号特定プログラムは停止される。なお、スキャナは、薬剤包装体の薬剤コードを読み取るスキャナとは別のスキャナであってもよい。
【００６０】
次に、コンピュータ６が患者の識別番号を受信すると、薬剤判定プログラムが起動し、薬剤判定プログラムにしたがって、ＣＰＵ61によって、患者の識別記号に基づいて、補助記憶装置64に記憶されている患者情報テーブル中の患者情報が検索され、読み取られた患者の識別記号と同じ識別記号を有する患者情報が抽出され、この患者情報から患者の名前が特定される（ステップ１０（Ｓ１０））。
【００６１】
例えば、スキャナ５のコード読み取りユニット55で読み取られた識別コードから変換された識別記号が（Ａ１）である場合には、識別記号（Ａ１）に基づいて、患者情報テーブルに記憶されている患者情報が検索され、読み取られた識別記号（Ａ１）と同じ識別記号を有する患者情報が抽出され、この患者情報に基づいて「山田太郎」が特定される。
【００６２】
更に、薬剤判定プログラムにしたがって、時計58から日時情報が取得され（ステップ１１（Ｓ１１））、ステップ１０で特定された患者の名前及び日時情報に基づいて、コンピュータ６の補助記憶装置64に記憶されている処方箋情報テーブルが検索されて、患者の名前及び日時情報が合致する処方箋情報が抽出され、処方箋情報に含まれている薬剤の種類が抽出される（ステップ１２（Ｓ１２））。
【００６３】
次に、薬剤判定プログラムにしたがって、ＣＰＵ61によって、ステップ１２で抽出された薬剤の種類と、処方作業テーブルに含まれている薬剤の種類とが比較され、両者が完全に一致しているか否かが判断される（ステップ１３（Ｓ１３））。
【００６４】
ステップ１３で抽出された薬剤の種類と、処方作業テーブルに含まれている薬剤の種類とが完全に一致している場合には、薬剤判定プログラムにしたがって、コンピュータ６又はスキャナ５の出力ユニット65（56）に、処方作業中の薬剤が正しい旨を意味する確認信号が出力される（ステップ１４（Ｓ１４））。
【００６５】
一方、ステップ１２で抽出された薬剤の種類と、処方作業テーブルに含まれている薬剤の種類とが完全に一致していない場合には、薬剤判定手段によって、コンピュータ６又はスキャナ５の出力ユニット65（56）に、処方作業中の薬剤に間違いがある旨の警告信号が出力される（ステップ１５（Ｓ１５））。
【００６６】
次に、薬剤判定プログラムにしたがって、コンピュータ６の補助記憶装置64内の処方作業テーブル内に書き込まれた「薬剤の種類」データが完全に消去されると共に、処方作業テーブルへの「薬剤の種類」データの書き込みの禁止が解除された後に、薬剤判定プログラムは停止し、次の処方作業に対応可能な状態とされる（ステップ１６（Ｓ１６））。
【００６７】
以上の通り、上記薬剤処方システムによれば、薬剤師が処方中の薬剤と、医師が発行した処方箋に記載された薬剤とが一致しているか否かが判断され、両者が一致していない場合には、警告信号が出力ユニットから出力されるので、薬剤師による薬剤の処方ミスを未然に防止し、患者に正しい薬剤を処方することができる。
【符号の説明】
【００６８】
１     収納シート
11     薬剤収納部
２     封止シート
３     薬剤コード
31     ドット
５     スキャナ
６     コンピュータ
Ａ     薬剤包装体
A1     薬剤包装体本体
Ｂ     薬剤処方システム
【図１】
2016144540.tif 000003
【図２】
2016144540.tif 000004
【図３】
2016144540.tif 000005
【図４】
2016144540.tif 000006
【図５】
2016144540.tif 000007
【図６】
2016144540.tif 000008
【図７】
2016144540.tif 000009
【図８】
2016144540.tif 000010
【図９】
2016144540.tif 000011
【図１０】
2016144540.tif 000012
【図１１】
2016144540.tif 000013
【図１２】
2016144540.tif 000014